(57)【要約】【課題】コネクタに配線を半田付け等で接合した配線接合部に引張力等による応力がかかることを抑制できるコネクタ金具を提供する。【解決手段】コネクタ金具１０は、導電性および強度に優れた材料（鉄）で形成されている。このコネクタ金具１０は、コネクタ１２が接続される調光盤１１に取付け可能な設置面１５Ａと、コネクタ１２から延出された配線１７を固定可能な保持面３２Ａとを有する。コネクタ金具１０の保持面３２Ａにコネクタ１２から延出された配線１７を固定することにより、コネクタ１２および配線１７を一体的に保持して、コネクタ１２に対して配線１７が離れる方向に移動することを防ぐことができる。【選択図】図１
2012113830.tif 000002
【特許請求の範囲】
【請求項１】
導電性および強度に優れた材料で形成され、
コネクタが接続される機器本体に取付け可能な設置面と、
前記コネクタから延出された配線を固定可能な保持面と、
を有し、
調光卓および調光盤の信号ラインの固定に使用するコネクタ金具。
【請求項２】
請求項１に記載のコネクタ金具において、
前記コネクタから延出された配線が結束部材で前記配線の長手方向に対して垂直に固定されたコネクタ金具。
【請求項３】
請求項２に記載のコネクタ金具において、
前記保持面の裏側に配置された他の配線から前記配線が保護可能で、かつ前記他の配線を固定可能な裏側保持面を有するコネクタ金具。
【請求項４】
請求項３に記載のコネクタ金具において、
前記保持面に前記配線を密着させることにより前記他の配線によるノイズの影響を受け難くできるコネクタ金具。
【発明の詳細な説明】
【技術分野】
【０００１】
本発明は、ＬＥＤを光源として天井面に埋設されて設置され、一例としてダウンライトに適用されるコネクタ金具に関する。
【背景技術】
【０００２】
照明器具は、ランプに電流を供給してランプの点灯を制御するインバータと、インバータに調光信号を出力する調光器とを備えている。
調光器からインバータに調光信号を入力することによりインバータの出力を調整する。インバータの出力を調整することにより、ランプが任意の調光レベルに出力調整される（例えば、特許文献１参照）。
【先行技術文献】
【特許文献】
【０００３】
【特許文献１】特開２０１０−４５００６号公報（段落００３０、００５９、００６０）
【発明の概要】
【発明が解決しようとする課題】
【０００４】
ところで、図４、図５に示すように、調光器からインバータに調光信号を入力する調光信号用の配線１００は、調光器本体の調光盤１０１のコネクタ１０２に半田付け等で接合されている。
この配線１００は、コネクタ１０２に半田付けにより接合された状態で保持部１０４に結束部材（結束タイ）１０５で固定されている。
【０００５】
しかし、コネクタ１０２に半田付け等で接合する調光信号用の配線１００は、一般に太くて硬いものが使用されている。
このため、コネクタ１０２に半田付け等で接合した配線１００を整理する際に、半田付けされた配線接合部１０６に引張力等による応力がかかる。
【０００６】
本発明は、前述した課題を解決するためになされたものであり、その目的は、コネクタに配線を半田付け等で接合した配線接合部に引張力等による応力がかかることを抑制できるコネクタ金具を提供することにある。
【課題を解決するための手段】
【０００７】
本発明のコネクタ金具は、導電性および強度に優れた材料で形成され、コネクタが接続される機器本体に取付け可能な設置面と、前記コネクタから延出された配線を固定可能な保持面と、を有し、調光卓および調光盤の信号ラインの固定に使用する。
【０００８】
また、本発明のコネクタ金具は、前記コネクタから延出された配線が結束部材で前記配線の長手方向に対して垂直に固定されている。
【０００９】
さらに、本発明のコネクタ金具は、前記保持面の裏側に配置された他の配線から前記配線が保護可能で、かつ前記他の配線を固定可能な裏側保持面を有する。
【００１０】
また、本発明のコネクタ金具は、前記保持面に前記配線を密着させることにより前記他の配線によるノイズの影響を受け難くできる。
【発明の効果】
【００１１】
本発明のコネクタ金具によれば、機器本体に設置面を取り付けることにより、機器本体にコネクタ金具を一体に取り付けることができる。
そして、コネクタ金具の保持面にコネクタから延出された配線を固定することにより、コネクタおよび配線を一体的に保持して、コネクタに対して配線が離れる方向に移動することを防ぐことができる。
これにより、コネクタおよび配線が半田付け等で接合された配線接合部に引張力等による応力がかかることを抑制できるという効果を有する。
【図面の簡単な説明】
【００１２】
【図１】本発明に係るコネクタ金具を示す斜視図
【図２】図１のコネクタ金具で配線を固定した状態を示す側面図
【図３】図２のＡ矢視図
【図４】従来のコネクタ金具で配線を固定した状態を示す斜視図
【図５】従来のコネクタ金具で配線を固定した状態を示す側面図
【発明を実施するための形態】
【００１３】
以下、本発明の実施形態に係るコネクタ金具について図面を参照して説明する。
【００１４】
図１に示すように、本発明の実施形態であるコネクタ金具１０は、調光器本体の調光盤１１の信号ラインの固定に使用する金具であって、導電性および強度に優れた材料（鉄）で形成されている。コネクタ金具１０の材料としては、例えば鉄が用いられる。ステンレス、アルミニウム、銅などを用いてもよい。
【００１５】
調光器は、例えば、照明器具に設けられ、インバータに調光信号を出力するものである。
調光器からインバータに調光信号を入力することにより、インバータの出力を調整できる。インバータの出力を調整することにより、インバータでランプの調光レベルを任意に調整できる。
【００１６】
なお、実施形態では、コネクタ金具１０を調光器本体の調光盤１１に取り付けた例について説明したが、これに限らないで、調光卓板金部等の他の部材に取り付けることも可能である。
【００１７】
このコネクタ金具１０は、信号コネクタ（以下、「コネクタ」という）１２が接続される調光盤１１に取付け可能な設置壁部１５と、コネクタ１２から延出された配線１７（図２参照）を固定可能なコネクタ保持部１８とを有する。
【００１８】
設置壁部１５は、調光盤１１の取付面１１Ａに沿って平坦な設置面１５Ａ（図２も参照）を有し、コネクタ１２を回避可能な凹部２１が形成されることにより略Ｊ字状に形成されている。
図２に示すように、設置壁部１５は、上部位に上取付孔２２が形成されるとともに上取付孔２２に同軸上に上ナット２３が溶接され、下部位に下取付孔２４が形成されるとともに下取付孔２４に同軸上に下ナット２５が溶接されている。
【００１９】
調光盤１１の上取付孔１１Ｂおよび上部位の上取付孔２２に上ボルト２６が差し込まれ、上ボルト２６が上ナット２３にねじ結合されている。
同様に、調光盤１１の下取付孔１１Ｃおよび下部位の下取付孔２４に下ボルト２７が差し込まれ、下ボルト２７が下ナット２５にねじ結合されている。
【００２０】
これにより、調光盤１１の取付面１１Ａに設置面１５Ａが当接された状態で設置壁部１５が上ボルト２６および下ボルト２７で取り付けられている。
この状態で、設置壁部１５の凹部２１がコネクタ１２を回避した状態に配置され、コネクタ１２が凹部２１を経てコネクタ保持部１８に向けて突出されている。
このように、調光盤１１に設置壁部１５を取り付けることにより、調光盤１１にコネクタ金具１０のコネクタ保持部１８を一体に取り付けることができる。
【００２１】
図３に示すように、コネクタ保持部１８は、設置壁部１５の下端両側部１５Ｂ（図２参照）に設けられた一対の脚部３１と、一対の脚部３１の先端部３１Ａを連結する配線保持部３２とを有し、一対の脚部３１および配線保持部３２で平面視略Ｕ字状に形成されている。
【００２２】
図２に示すように、一対の脚部３１は、設置壁部１５の下端両側部１５Ｂから配線保持部３２に向けて上り勾配に延出されている。
一対の脚部３１を上り勾配に延出することで、一対の脚部３１の先端部３１Ａに設けられた配線保持部３２がコネクタ１２に対向する位置で、かつコネクタ１２の略中央の高さ位置に配置されている。
【００２３】
よって、コネクタ１２から延出された配線１７を略直線状に延出させた状態で、配線１７が配線保持部３２の保持面３２Ａに載置される。保持面３２Ａは配線保持部３２の表面に備えられている。
配線１７は、調光信号用の配線であり、コネクタ１２に半田付けされることにより配線接合部３７でコネクタ１２に接合されている。
コネクタ１２に半田付けで接合された配線１７は、収縮チューブ１９に収納されることにより収縮チューブ１９で保護されている。
【００２４】
図３に示すように、コネクタ１２から略直線状に延出された配線１７は、配線保持部３２の保持面３２Ａおよび一方の脚部３１の保持面３１Ｂに沿って略クランク状に曲げられた状態で載置される。
【００２５】
この状態において、配線１７が結束部材（結束タイ）３５で固定されている。結束部材３５は配線１７の長手方向に対して交差するように配設されている。
このように、結束部材３５を配線１７の長手方向に対して交差させて配設することにより、配線１７が長手方向に移動することを結束部材３５で確実に防止できる。
【００２６】
ここで、配線保持部３２の保持面３２Ａおよび一方の脚部３１の保持面３１Ｂが調光盤１１に一体に取り付けられ、配線保持部３２の保持面３２Ａおよび一方の脚部３１の保持面３１Ｂにコネクタ１２から延出された配線１７が固定されている。
よって、コネクタ１２および配線１７を一体的に保持して、コネクタ１２に対して配線１７が離れる方向に移動することを防ぐことができる。
これにより、コネクタ１２および配線１７が半田付け等で接合された配線接合部３７に引張力等による応力がかかることを抑制できる。
【００２７】
さらに、図２に示すように、配線１７は配線保持部３２の保持面３２Ａおよび一方の脚部３１の保持面３１Ｂに密着されている。ここで、配線保持部３２の保持面３２Ａおよび一方の脚部３１の保持面３１Ｂを有するコネクタ金具１０は導電性に優れた材料で形成されている。
このように、導電性に優れた材料でコネクタ金具１０を形成し、配線保持部３２の保持面３２Ａおよび一方の脚部３１の保持面３１Ｂに配線１７を密着させることにより、他の配線４２によるノイズの影響を受け難くできる。
【００２８】
コネクタ保持部１８は、裏面に裏側保持面１８Ａが備えられている。
このように、コネクタ保持部１８に裏側保持面１８Ａを備えることにより、保持面３２Ａの裏側に配置された他の配線４２から配線１７を裏側保持面１８Ａで保護できる。
さらに、コネクタ保持部１８に裏側保持面１８Ａを備えることにより、他の配線４２を裏側保持面１８Ａで固定できる。
【００２９】
なお、本発明に係るコネクタ金具は、前述した実施形態に限定されるものではなく適宜変更、改良等が可能である。
例えば、実施形態では、配線を調光信号用の配線１７として例示したが、これに限らないで、その他の配線に適用することも可能である。
【００３０】
また、実施形態で使用したコネクタ金具、機器本体、コネクタ、設置部、設置面、配線、コネクタ保持部、裏側保持面、配線保持部、保持面、結束部材および他の配線等の形状や構成は例示したものに限定するものではなく適宜変更が可能である。
【符号の説明】
【００３１】
１０  コネクタ金具
１１  調光盤
１２  コネクタ
１５  設置壁部
１５Ａ  設置面
１７  配線
１８  コネクタ保持部
１８Ａ  裏側保持面
３２  配線保持部
３２Ａ  保持面
３５  結束部材（結束タイ）
４２  他の配線
【図１】
2012113830.tif 000003
【図２】
2012113830.tif 000004
【図３】
2012113830.tif 000005
【図４】
2012113830.tif 000006
【図５】
2012113830.tif 000007